(57)【要約】【課題】コンプレッサのパッケージの設置位置に関係なく、操作パネル１を操作し易い位置に取り付けられるコンプレッサのパッケージ構造を提供する。【解決手段】前面板４と後面板５と両側板６、７で囲まれて内部に圧縮機１０やそのコントロール部１１を収納するパッケージ１００であって、通常は前面板４に取り付けられる操作パネル１が、パッケージ１００の設置位置に対応して後面板５側にも取り付け可能に形成される。【選択図】図１
2009270532.tif 000002
【特許請求の範囲】
【請求項１】
内部にコンプレッサ及びそのコントロール部を収納し、空気吸入口を設ける前面板及び後面板と両側面板とで囲まれる密閉箱体のパッケージ構造であって、該構造は、前記コントロール部と電線で連結されて前記前面板又は後面板の表面に取り付けられる操作パネルを有するものからなり、前記操作パネルは、前記パッケージ構造の設置形態に対応してその取付位置を変更すべく前記前面板又は後面板に着脱可能に取り付けられることを特徴とするコンプレッサのパッケージ構造。
【請求項２】
前記操作パネルと前記コントロール部とを連結する電線が、前記操作パネルの位置変更時において前記コントロール部に連結可能な長さのものからなることを特徴とする請求項１に記載のコンプレッサのパッケージ構造。
【発明の詳細な説明】
【技術分野】
【０００１】
本発明は、コンプレッサ及びそのコントロール部を内部に収納する密閉箱体状のパッケージ構造に係り、特に、前記コントロール部に連結し前記密閉箱体の外面に取り付けられる操作パネルの取付位置を、コンプレッサの設置位置に対応して変えられるようにしたコンプレッサのパッケージ構造に関する。
【背景技術】
【０００２】
図４は、コンプレッサやそのコントロール部を収納する密閉箱体状のコンプレッサパッケージの外観構造を示すもので、（ａ）は正面図、（ｂ）は右側面図、（ｃ）は上面図、（ｄ）は背面図である。パッケージ１００は２つの側面板６、７とその前端及び後端に取り付けた空気吸入口８を有する前面板４及び後面板５等とからなり、この前面板４、後面板５、及び両側面板６、７により密閉箱体状に形成される。なお、図示は省略したが、この密閉箱体内にはコンプレッサやそのコントロール部等が収納されている。
図４（ａ）に示すように前面板４の表面の上部には操作パネル１が取り付けられ、この操作パネル１は前記のコントロール部に図略の電線により連結されている。なお、操作パネル１には時間表示器３や多数個のプッシュボタン２等が取り付けられている。
一方、密閉箱体状のコンプレッサとしては各種の公知技術があるが、例えば「特許文献１」の如きものがある。
【特許文献１】特開平６−１０１６６９（図１）
【発明の開示】
【発明が解決しようとする課題】
【０００３】
「特許文献１」の「特開平６−１０１６６９」の「パッケージ形スクリュー圧縮機」は、圧縮機（１）、（２）や各種構成部材を収納する箱体状のパッケージを有するものであるが、その表示付操作盤（１１）は固定式のものであり、簡単に位置変更が可能のものではない。また、その他のコンプレッサのパッケージに関する公知技術も、後に説明する本発明のように操作パネルの取付位置を簡単に変更できるものは見当らない。
【０００４】
本発明は、以上の事情に鑑みて発明されたものであり、コンプレッサの設置位置に対応して操作パネルの取付位置を簡単に変えることができるコンプレッサのパッケージ構造を提供することを目的とする。
【課題を解決するための手段】
【０００５】
本発明は、以上の目的を達成するために、請求項１の発明は、内部にコンプレッサ及びそのコントロール部を収納し、空気吸入口を設ける前面板及び後面板と両側面板とで囲まれる密閉箱体のパッケージ構造であって、該構造は、前記コントロール部と電線で連結されて前記前面板又は後面板の表面に取り付けられる操作パネルを有するものからなり、前記操作パネルは、前記パッケージ構造の設置形態に対応してその取付位置を変更すべく前記前面板又は後面板に着脱可能に取り付けられることを特徴とする。
【０００６】
また、請求項２の発明は、前記操作パネルと前記コントロール部とを連結する電線が前記操作パネルの位置変更時において前記コントロール部に連結可能な長さのものからなることを特徴とする。
【発明の効果】
【０００７】
本発明の請求項１のコンプレッサのパッケージ構造によれば、操作パネルは前面板及び後面板に取り付け可能な着脱構造のものからなるため、コンプレッサの設置位置に対応して操作のやり易い前面又は後面の取付位置に自由に変更することができ、操作性の向上を図ることができる。
【０００８】
また、本発明の請求項２のコンプレッサのパッケージ構造によれば、操作パネルを前面板又は後面板に取り付けた場合にコントロール部との電線の長さが位置変更に対応する長さのものからなるため電線の長さを変えることがなく、操作パネルの位置変更が簡単に行われる。なお、電線がパッケージの内部において邪魔にならないように余分な部分を束ねることが望ましい。
【発明を実施するための最良の形態】
【０００９】
以下、本発明に係るコンプレッサのパッケージ構造の実施形態を図面を参照して詳述する。
図１及び図４に示したように、パッケージ１００は前面板４と後面板５と２つの側面板６、７で囲まれて内部に空間９を形成する密閉箱体状のものからなる。
前面板４及び後面板５の両側には上下方向に沿って凹部８が夫々形成され、この凹部８には空気吸入口（図略）が形成される。なお、主として前記空気吸入口から空間９内に外気が吸入される。
【００１０】
図１及び図４（ａ）に示すように前面板４の上方側には操作パネル１が着脱可能に取り付けられている。この操作パネル１には、時間表示器３やプッシュボタン２等が設けられている。
また、図１に示すように、空間９内には圧縮機（各種機器も含む）１０や当該圧縮機１０をコントロールするコントロール部１１等が収納されている。
【００１１】
また、操作パネル１とコントロール部１１との間には電線１２が夫々連結されている。この電線１２は、操作パネル１の取付位置が変ってもコントロール部１１に連結できるように、適宜の長さの長線から形成される。また、この長線は空間９内で邪魔にならないように束ねて置くことが望ましい。
【００１２】
通常、圧縮機１０には使用側の機器等と連結する配管１３等が連結され、この配管１３の向きは使用側に便利なように配置されることが望ましい。図２（ａ）の例では建物の壁１４が図示のように形成されており、配管１３は壁１４の側に向くことになる。この場合は、図示のように操作パネル１を壁１４と反対の位置に配置すれば操作パネル１の操作は円滑に行われる。しかしながら、圧縮機１０からの配管１３の向きが図２（ｂ）の例のような場合には、壁１４側に操作パネル１が来るため、当該操作パネル１の操作が困難となる。そのため、例えば、操作パネル１と壁１４との間に人間が出入できるスペースを形成することが必要となるが、このスペースは本質的には無駄なスペースである。
【００１３】
本発明のコンプレッサのパッケージ構造は、前記の問題点を解決するものであり、図２（ｂ）のような場合には、図３に示すように操作パネル１を後面板５側に取り付ける。これにより、操作パネル１は操作し易い位置に配置されることになる。この場合、操作パネル１とコントロール部１１との距離が遠くなるが、電線１２はそれに対応する充分な長さを有するものからなるため、操作パネル１に接続が可能であり操作に何等の支障は生じない。
【００１４】
以上のように、本発明のコンプレッサのパッケージ構造は、パッケージ１００の位置形態に対応して操作パネル１の取付位置を簡単に変化させることができるため、パッケージ１００の設置位置を自由に決めることができ、極めて便利である。
【００１５】
本発明は、以上の説明の内容のものからなるが、それらに限定されるものではなく、同一技術的範疇のものが適用されることは勿論である。
【産業上の利用可能性】
【００１６】
本発明は、パッケージタイプのコンプレッサのすべてに適用が可能であり、また、その利用範囲としてコンプレッサ外にも適用できる技術であり、その利用範囲は極めて広い。
【図面の簡単な説明】
【００１７】
【図１】本発明に係るコンプレッサのパッケージ構造の概要を示す模式的断面図。
【図２】本発明に係るコンプレッサのパッケージ構造の建物内での設置対応における問題点を説明するための模式的断面図。
【図３】操作パネルの取付位置を変更した状態のコンプレッサのパッケージ構造を示す模式的断面図。
【図４】本発明に係るコンプレッサのパッケージ構造の外観を示す正面図（ａ）、右側面図（ｂ）、上面図（ｃ）、背面図（ｄ）。
【符号の説明】
【００１８】
１      操作パネル
２      プッシュボタン
３      時間表示器
４      前面板
５      後面板
６      側板
７      側板
８      凹部
９      空間
１０    圧縮機
１１    コントロール部
１２    電線
１３    配管
１４    壁
１００  パッケージ
【図１】
2009270532.tif 000003
【図２】
2009270532.tif 000004
【図３】
2009270532.tif 000005
【図４】
2009270532.tif 000006